(57)【特許請求の範囲】
【請求項１】
棚板を支持する支持体の一部を取付面とし、この取付面に沿って当該取付面との間に書類を挟み込み可能とする保持部材を設けたことを特徴とする机。
【請求項２】
前記保持部材は、伸縮性若しくは可撓性を有する帯状体により構成され、その両端側を前記取付面に支持することで中間領域が前記取付面に対して離間密着可能に設けられていることを特徴とする請求項１記載の机。
【請求項３】
前記保持部材は、長手方向両端が離間及び接近可能に前記取付面に支持されていることを特徴とする請求項２記載の机。
【請求項４】
前記取付面は、略アーチ状の曲面に形成されていることを特徴とする請求項２又は３記載の机。
【発明の詳細な説明】
【０００１】
【発明の属する技術分野】
本発明は、パーソナルコンピュータを載せて所要の入力作業を行うことに適した机に係り、更に詳しくは、入力すべき内容を記載した書類を見易い位置に保持することができる机に関する。
【０００２】
【従来の技術】
近時、コンピュータ分野における飛躍的な技術の発展に伴い、オフィスだけでなく家庭内においてもパーソナルコンピュータが飛躍的に普及するに至っている。かかるコンピュータは、インターネットを利用したメールやワープロソフトを用いた文書作成等に幅広く利用され、日常生活における連絡や学習用として極めて便利なものとなっている。このようなパーソナルコンピュータの普及に伴って、いわゆるパソコンデスクと称される専用の机が広く市販されるようになり、この机は、家庭内の省スペース化に対応すべく、机の棚板上にディスプレイやキーボード等の最低限のものが置ける程度の大きさに設けられている場合が多い。
【０００３】
【発明が解決しようとする課題】
しかしながら、このような机にあっては、棚板の平面積が比較的小さく設けられているため、机の棚板上にディスプレイやキーボードを置いただけで、棚板の殆どの面積を占めてしまう傾向が強い。これがため、ワープロソフト等を用いた文書の入力を行うときに、棚板上に入力すべき内容を記載した書面若しくは書類等を置く場所がないのが通常であり、これにより、書類を脚の上に置いたり、手で持ったりしながら無理な姿勢で入力を行わなければならないという不都合を生じる。
【０００４】
また、前記書類を見易くするため、この書類を支柱やディスプレイ等にテープで貼り付けることも考えられるが、この場合には、テープの粘着剤が支柱に転移して当該支柱を汚してしまったり、部分的な貼り付け固定となって書類が不安定な姿勢となる虞がある。更に、支柱やディスプレイに装着可能な専用のホルダーも市販されているが、別途コストの負担を強いることとなるばかりでなく、机全体の外観上の体裁を損なうという不都合も招来する。
【０００５】
【発明の目的】
本発明は、このような不都合に着目して案出されたものであり、その目的は、支持体の取付面において書類を見易い状態で確実に保持し、この保持作業を容易に行うことができる机を提供することにある。
【０００６】
【課題を解決するための手段】
前記目的を達成するため、本発明は、棚板を支持する支持体の一部を取付面とし、この取付面に沿って当該取付面との間に書類を挟み込み可能とする保持部材を設ける、という構成が採用されている。このような構成によれば、棚板上にパーソナルコンピュータやその周辺機器を置き、棚板上の空きスペースが極めて狭くなった場合でも、保持部材と取付面との間に書類を挟み込むことにより、当該書類が見易い状態を保ちながらパソコンを操作することができる。また、特別なホルダーを用いることなく書類を保持することができるので、コスト的にも有利となるばかりなく、外観上の体裁も良好に維持することができる。
【０００７】
【発明の実施の形態】
本発明における保持部材は、伸縮性若しくは可撓性を有する帯状体により構成され、その両端側を前記取付面に支持することで中間領域が前記取付面に対して離間密着可能に設けられる、という構成を採用するとよい。このような構成を採れば、保持部材と取付面との間に書類を確実に挟み込むことができ、且つ、この挟み込み作業を容易に行うことができる。すなわち、保持部材が取付面から浮き上がるような外力を保持部材に与えることで、取付面との間に隙間を生じさせ、この隙間に書類を挿入した後、外力付与を解除することにより、保持部材自体の弾性力が作用して書類を挟み込むことができる。また、従来のようにテープを用いた部分的な保持姿勢となることなく、書類の一端側を広い領域で保持して書類の面を見易い状態に保つことができる。
【０００８】
また、前記保持部材は、長手方向両端が離間及び接近可能に前記取付面に支持される、という構成も採用することができる。これにより、書類を差し込むときに、前記長手方向両端側を互いに引き寄せるように接近させることで保持部材を取付面から浮き上がるように離間させることが可能となる。この効果は、保持部材の弾性力が比較的強い場合に、特に有効に発揮することができる。
【０００９】
更に、前記取付面は略アーチ状の曲面に形成されるという構成も好ましくは採用される。これによれば、挟み込まれる書類も取付面に密着して曲面形状となるので、書類自体に適度の張りを持たせることが可能となり、書類のぶらつきを防止することができる。また、常時は、保持部材も曲面に形成されるため、平面形状に戻る力が常に取付面に付与されることとなり、この力を利用して書類に対する挟み込み力を増大させることが可能となる。
【００１０】
【実施例】
以下、本発明の実施例を図面を参照しながら説明する。
【００１１】
図１には、本実施例に係る机の概略斜視図が示されている。この図において、机１０は、デスクトップ型パーソナルコンピュータ一式がセットできる大きさに設けられている。この机１０は、左右一対の支持体１１と、これら支持体１１の上下方向中間部に支持された棚板としての中間棚１２と、各支持体１１の上端側に配置された上棚１３と、前記中間棚１２の下方に配置された下棚１４とを備えて構成されている。
【００１２】
前記各支持体１１は、角柱等の複数の部材を相互に連結して組立てられている。各支持体１１は、図１に示されるように、設置面から斜め後方に向かって延びるとともに、中央領域が前方に膨らむ略アーチ型に形成された前側支柱１５と、この前側支柱１５の上端側に連結されて略鉛直方向に位置する後側支柱１６と、これら前側支柱１５及び後側支柱１６を連結するとともに、中間棚１２を支持可能に設けられた側板１７と、この側板１７の下側に設けられて前後の各支柱１５，１６間を連結する複数本の補強用棒１９とを備えて構成されている。ここで、各前側支柱１５の前面に位置する取付面２２には、保持部材２４がそれぞれ設けられている。
【００１３】
前記各保持部材２４は、特に限定されるものでないが、本実施例では、可撓性を有するポリプロピレン等の樹脂材を用いた帯状体により構成されている。各保持部材２４の長手方向両側は、図２（Ａ）及び図３に示されるように、ねじ２５を用いて取付面２２に装着されており、これにより、保持部材２４が略アーチ状の曲面に形成された取付面２２に沿って密着するようになっている。また、保持部材２４は、その長手方向両側に上下方向に延びるスロット穴２６を備え、これらスロット穴２６に前記ねじ２５を挿入して保持部材２４を支持するようになっている。各スロット穴２６の内側端縁２６Ａは、常時は、各ねじ２５の軸部２５Ａに接触するように設けられている。これにより、保持部材２４の中間領域を取付面２２に対して密着したときは、図２（Ａ）に示されるように、当該保持部材２４の長手方向両端間の距離Ｌ１が最大となる位置に相互に離間する。この一方、保持部材２４を取付面２２に対して離間したときは、図２（Ｂ）に示されるように、当該保持部材２４の長手方向両端間の距離Ｌ２が前記距離Ｌ１より短くなって相互に接近することとなる。
【００１４】
前記中間棚１２は、図１に示されるように、各支持体１１間に配置されるとともに、各側板１７の上側に連結された上部固定棚２８と、この上部固定棚２８より若干下側に配置されるとともに、側板１７の延出方向に沿って出し入れ可能に設けられた下部スライド棚２９とを備えて構成されている。上部固定棚２８は、ディスプレイＤを設置可能な平面積を有する一方、下部スライド棚２９は、キーボードＫを設置可能に設けられている。
【００１５】
以上の構成において、取付面２２と保持部材２４との間に書類Ｐを挟み込む場合、図３に示された状態から保持部材２４の両端側を図中矢印Ｃ，Ｃ方向に指で押圧し、取付面２２と保持部材２４との間に隙間Ｓを生じさせる（図４参照）。そして、この隙間Ｓに書類Ｐを差し込んだ後、保持部材２４から指を離すことにより、保持部材２４自体が有する弾性力により図４中矢印Ｄ方向にスライドし、すなわち、図５に示される位置に自動的に戻り、書類Ｐが挟み込まれることとなる。この際、書類Ｐは、取付面２２に密着してゆるやかなアーチ状となり、これにより、後方へ垂れ下がることなく適度な張りを備えて図１に示される姿勢を維持するようになっている。なお、書類Ｐを取り外す場合は、当該書類Ｐを引き抜くだけでよく、保持部材２４を何ら操作することなく容易に取り外すことができる。
【００１６】
また、保持部材２４と取付面２２との間には、図１に示されるように、書類Ｐと併せてガイド片３１を挟み込むことができ、これにより、書類Ｐを見る際の目印となってキーボードＫによる入力をより一層行い易くすることが可能となる。
【００１７】
従って、このような実施例によれば、必要な場合にだけディスプレイＤの隣接位置に書類Ｐが配置されるから、ディスプレイＤと書類Ｐとを同時に見ることができ、これにより、従来例に示されるような不都合を一掃して、机１０に設置したパーソナルコンピュータへの入力をスムースに行うことが可能となる。また、保持部材２４は、可撓性を有する帯状体により構成されるとともに、取付面２２が略アーチ状の曲面に形成されているから、保持部材２４自体の有する弾性力も作用して取付面２２に密着し易くなり、ひいては、書類Ｐに対する挟み込み力を増大させることができる。更に、ねじ２５はスロット穴２６に挿入されているので、保持部材２４の中間部が取付面２２から浮き上がって離間する方向に容易に撓ませることができ、これにより、取付面２２に対する保持部材２４の引き離し作業をスムースに行うことが可能となる。
【００１８】
なお、前記保持部材２４は、可撓性を有する樹脂材により構成されている場合を説明したが、本発明は、これに限定されるものでなく、例えば、伸縮性を有するゴム紐等により構成されたものであってもよい。要するに、保持部材２４は、取付面２２との間に書類Ｐを挟み込み可能に設けられていれば足りる。
【００１９】
また、前記保持部材２４は、一の取付面２２に対し一枚とは限らず、図１に示される下から一番目のねじ２５と二番目のねじ２５との間に、更に一枚追加して装着することも考えられる。これにより、保持部材２４による書類Ｐの保持領域を広げることが可能となる。
【００２０】
【発明の効果】
以上説明したように、本発明は、支持体の一部である取付面との間に書類を挟み込み可能な保持部材を設けたから、棚板上の空スペースが狭い場合でも、書類を見易い状態を保ちながら机を利用することができる。
【００２１】
また、保持部材は、伸縮性若しくは可撓性を有する帯状体により構成されるとともに、取付面に対して離間密着可能に設けたから、保持部材自体の有する弾性力により、書類を確実に保持することができるばかりでなく、書類の着脱作業をスムースに行うことができる。
【００２２】
更に、保持部材の長手方向両端を離間接近可能に設けた場合には、保持部材を容易に撓み変形させることでき、これにより、保持部材を取付面から離間させる作業を容易に行うことが可能となる。
【００２３】
また、取付面を略アーチ状の曲面に形成した場合には、保持部材の有する弾性力を取付面に効果的に付与させることができ、且つ、書類の外面形状も略アーチ状とさせて当該書類のぶらつきを防止することが可能となる。
【図面の簡単な説明】
【図１】本実施例に係る机の概略斜視図。
【図２】（Ａ）は、保持部材の拡大正面図、（Ｂ）は、保持部材を取付面から離間させた状態を示す図２（Ａ）と同様の正面図。
【図３】図２（Ａ）のＡ−Ａ線拡大断面図。
【図４】図２（Ｂ）のＢ−Ｂ線拡大断面図
【図５】書類を挟み込んだ状態を示す図３（Ａ）と同様の断面図。
【符号の説明】
１０  机
１１  支持体
１２  中間棚（棚板）
２２  取付面
２４  保持部材
Ｐ  書類
【図１】
0003643949.tif 000002
【図２】
0003643949.tif 000003
【図３】
0003643949.tif 000004
【図４】
0003643949.tif 000005
【図５】
0003643949.tif 000006